(57)【要約】  液晶表示ユニットであって、アレイ基板（２０）、カラーフィルム基板（３０）、第１シーラント（４０）、液晶層（５０）、偏光片（６０）及び第２シーラント（７０）を含む。液晶層（５０）と第１シーラント（４０）がアレイ基板（２０）とカラーフィルム基板（３０）との間に設置され、第１シーラント（４０）が液晶層（５０）を取り囲み、偏光片（６０）がカラーフィルム基板（３０）上に設置され、第２シーラント（７０）が偏光片を取り囲み、それにより水蒸気、埃塵等が液晶表示ユニットに入ることを減少させ、それにより液晶表示ユニットを汚染や腐食から保護する。
2020532764.tif 000002
【特許請求の範囲】
【請求項１】
液晶表示ユニットであって、１つのアレイ基板、１つのカラーフィルム基板、１つの液晶層、１つの第１シーラント、１つの偏光片、及び１つの第２シーラントを含み、
前記アレイ基板は表示領域及び非表示領域を含み、前記非表示領域が前記表示領域を取り囲み、
前記液晶層は前記アレイ基板とカラーフィルム基板との間に設置され、
前記第１シーラントは前記アレイ基板とカラーフィルム基板との間に設置され、前記第１シーラントは前記液晶層を取り囲み、
前記偏光片は前記カラーフィルム基板上に設置され、
前記第２シーラントは前記偏光片を取り囲み、
前記第２シーラントは前記第１シーラント、カラーフィルム基板及び偏光片を取り囲み、前記第２シーラントの高さは前記第１シーラント、カラーフィルム基板及び偏光片の厚さの和に等しい、液晶表示ユニット。
【請求項２】
前記偏光片は積層構造を含み、前記積層構造は順に積層して設置された第１基材層、偏光膜層、第２基材層及び保護層を含む、請求項１に記載の液晶表示ユニット。
【請求項３】
前記偏光片はさらに量子ドット層を含み、前記量子ドット層は複数の量子ドットを含む、請求項２に記載の液晶表示ユニット。
【請求項４】
前記量子ドット層は前記偏光膜層と第２基材層との間に設置される、請求項３に記載の液晶表示ユニット。
【請求項５】
前記液晶表示ユニットはさらにほかの偏光片を含み、前記ほかの偏光片は前記アレイ基板の外側に設置される、請求項１に記載の液晶表示ユニット。
【請求項６】
液晶表示ユニットであって、１つのアレイ基板、１つのカラーフィルム基板、１つの液晶層、１つの第１シーラント、１つの偏光片、及び１つの第２シーラントを含み、
前記アレイ基板は表示領域及び非表示領域を含み、前記非表示領域が前記表示領域を取り囲み、
前記液晶層は前記アレイ基板とカラーフィルム基板との間に設置され、
前記第１シーラントは前記アレイ基板とカラーフィルム基板との間に設置され、前記第１シーラントは前記液晶層を取り囲み、
前記偏光片は前記カラーフィルム基板上に設置され、
前記第２シーラントは前記偏光片を取り囲む液晶表示ユニット。
【請求項７】
前記第２シーラントは前記第１シーラント、カラーフィルム基板及び偏光片を取り囲む、請求項６に記載の液晶表示ユニット。
【請求項８】
前記第２シーラントの高さは前記第１シーラント、カラーフィルム基板及び偏光片の厚さの和に等しい、請求項６に記載の液晶表示ユニット。
【請求項９】
前記偏光片は積層構造を含み、前記積層構造は順に積層して設置された第１基材層、偏光膜層、第２基材層及び保護層を含む、請求項６に記載の液晶表示ユニット。
【請求項１０】
前記偏光片はさらに量子ドット層を含み、前記量子ドット層は複数の量子ドットを含む、請求項９に記載の液晶表示ユニット。
【請求項１１】
前記量子ドット層は前記偏光膜層と第２基材層との間に設置される、請求項１０に記載の液晶表示ユニット。
【請求項１２】
前記液晶表示ユニットはさらにほかの偏光片を含み、前記ほかの偏光片は前記アレイ基板の外側に設置される、請求項６に記載の液晶表示ユニット。
【請求項１３】
請求項６〜１２のいずれか一項に記載の液晶表示ユニットの製造方法であって、
１つのアレイ基板を提供するステップと、
前記アレイ基板上に１つの液晶層を設置するステップと、
前記液晶層の周囲に第１シーラントを設置するステップと、
前記液晶層及び第１シーラントを覆う１つのカラーフィルム基板を提供するステップと、
前記カラーフィルム上に設置される１つの偏光片を提供するステップと、
前記偏光片の周囲に第２シーラントを設置するステップと、を含む、液晶表示ユニットの製造方法。
【請求項１４】
前記第２シーラントは前記第１シーラント、カラーフィルム基板及び偏光片を取り囲む、請求項１３に記載の液晶表示ユニットの製造方法。
【請求項１５】
前記第２シーラントの高さは前記第１シーラント、カラーフィルム基板及び偏光片の厚さの和に等しい、請求項１３に記載の液晶表示ユニットの製造方法。
【請求項１６】
前記偏光片は積層構造を含み、前記積層構造は順に積層して設置された第１基材層、偏光膜層、第２基材層及び保護層を含む、請求項１３に記載の液晶表示ユニットの製造方法。
【請求項１７】
前記偏光片はさらに量子ドット層を含み、前記量子ドット層は複数の量子ドットを含む、請求項１６に記載の液晶表示ユニットの製造方法。
【請求項１８】
前記量子ドット層は前記偏光膜層と第２基材層との間に設置される、請求項１７に記載の液晶表示ユニットの製造方法。
【請求項１９】
前記液晶表示ユニットはさらにほかの偏光片を含み、前記ほかの偏光片は前記アレイ基板の外側に設置される、請求項１３に記載の液晶表示ユニットの製造方法。
【発明の詳細な説明】
【技術分野】
【０００１】
本発明は液晶表示分野に関し、具体的には液晶表示ユニットに関する。
【背景技術】
【０００２】
液晶表示デバイスは、通常、液晶表示ユニット及び駆動部を有する。上記液晶表示ユニットは、通常、積層して設置された２つのガラス基板、液晶層及び偏光片偏光片を含み、偏光片偏光片は偏光膜を有する積層構造であり、しかしながら、従来技術では、２つのガラス基板、液晶層及び偏光片偏光片の側面が外部へ露出し、水蒸気、埃塵等が２つのガラス基板、液晶層及び偏光片偏光片の間に入りやすくなることを引き起こし、また、水蒸気、埃塵等が偏光片偏光片の側面からその積層構造の間に入るため、液晶表示ユニットを深刻に汚染や腐食する。
【発明の概要】
【発明が解決しようとする課題】
【０００３】
本発明の実施例は液晶表示ユニットを提供し、それにより液晶表示ユニットを汚染や腐食から保護する。
【課題を解決するための手段】
【０００４】
上記目的に基づき、本発明の実施例は液晶表示ユニットを提供し、１つのアレイ基板、１つのカラーフィルム基板、１つの液晶層、１つの第１シーラント、１つの偏光片、及び１つの第２シーラントを含み、前記アレイ基板は表示領域及び非表示領域を含み、前記非表示領域が前記表示領域を取り囲み、前記液晶層は前記アレイ基板とカラーフィルム基板との間に設置され、前記第１シーラントは前記アレイ基板とカラーフィルム基板との間に設置され、前記第１シーラントは前記液晶層を取り囲み、前記偏光片は前記カラーフィルム基板上に設置され、前記第２シーラントは前記偏光片を取り囲み、前記第２シーラントは前記第１シーラント、カラーフィルム基板及び偏光片を取り囲み、前記第２シーラントの高さは前記第１シーラント、カラーフィルム基板及び偏光片の厚さの和に等しい。
【０００５】
本発明の実施形態が提供する液晶表示ユニットでは、前記偏光片は積層構造を含み、前記積層構造は順に積層して設置された第１基材層、偏光膜層、第２基材層及び保護層を含む。
【０００６】
本発明の実施形態が提供する液晶表示ユニットでは、前記偏光片はさらに量子ドット層を含み、前記量子ドット層は複数の量子ドットを含む。
【０００７】
本発明の実施形態が提供する液晶表示ユニットでは、前記量子ドット層は前記偏光膜層と第２基材層との間に設置される。
【０００８】
本発明の実施形態が提供する液晶表示ユニットでは、前記液晶表示ユニットはさらにほかの偏光片を含んでもよく、前記ほかの偏光片は前記アレイ基板の外側に設置される。
【０００９】
上記目的に基づき、本発明の実施例はさらに液晶表示ユニットを提供し、１つのカラーフィルム基板、１つの液晶層、１つの第１シーラント、１つの偏光片、及び１つの第２シーラントを含み、前記液晶層は前記アレイ基板とカラーフィルム基板との間に設置され、
前記第１シーラントは前記アレイ基板とカラーフィルム基板との間に設置され、前記第１シーラントは前記液晶層を取り囲み、前記偏光片は前記カラーフィルム基板上に設置され、前記第２シーラントは前記偏光片を取り囲む。
【００１０】
本発明の実施形態が提供する液晶表示ユニットでは、前記第２シーラントは前記第１シーラント、カラーフィルム基板及び偏光片を取り囲む。
【００１１】
本発明の実施形態が提供する液晶表示ユニットでは、前記第２シーラントの高さは前記第１シーラント、カラーフィルム基板及び偏光片の厚さの和に等しい。
【００１２】
本発明の実施形態が提供する液晶表示ユニットでは、前記液晶表示ユニットはアレイ基板、カラーフィルム基板、第１シーラント、液晶層、偏光片及び第２シーラントを含む。前記偏光片は積層構造を含み、前記積層構造は順に積層して設置された第１基材層、偏光膜層、第２基材層及び保護層を含む。
【００１３】
本発明の実施形態が提供する液晶表示ユニットでは、前記偏光片はさらに量子ドット層を含み、前記量子ドット層は複数の量子ドットを含む。
【００１４】
本発明の実施形態が提供する液晶表示ユニットでは、前記量子ドット層は前記偏光膜層と第２基材層との間に設置される。
【００１５】
本発明の実施形態が提供する液晶表示ユニットでは、前記量子ドットは赤色量子ドット、緑色量子ドット又は青色量子ドットのうちのいずれか１つ又は少なくとも２種の組み合わせを含む。
【００１６】
本発明の実施形態が提供する液晶表示ユニットでは、前記液晶表示ユニットはさらにほかの偏光片を含んでもよく、前記ほかの偏光片は前記アレイ基板の外側に設置される。
【００１７】
液晶表示ユニットの製造方法であって、１つのアレイ基板を提供するステップと、前記アレイ基板上に１つの液晶層を設置するステップと、前記液晶層の周囲に第１シーラントを設置するステップと、１つのカラーフィルム基板を提供し、前記カラーフィルム基板が前記液晶層及び第１シーラントを覆うステップと、１つの偏光片を提供し、前記偏光片を前記カラーフィルム基板上に設置するステップと、前記偏光片の周囲に第２シーラントを設置するステップと、を含む。
【００１８】
本発明が提供する液晶表示ユニットの製造方法では、前記第２シーラントは前記第１シーラント、カラーフィルム基板及び偏光片を取り囲む。
【００１９】
本発明が提供する液晶表示ユニットの製造方法では、前記第２シーラントの高さは前記第１シーラント、カラーフィルム基板及び偏光片の厚さの和に等しい。
【００２０】
本発明が提供する液晶表示ユニットの製造方法では、前記偏光片は積層構造を含み、前記積層構造は順に積層して設置された第１基材層、偏光膜層、第２基材層及び保護層を含む。
【００２１】
本発明が提供する液晶表示ユニットの製造方法では、前記偏光片はさらに量子ドット層を含み、前記量子ドット層は複数の量子ドットを含む。
【００２２】
本発明が提供する液晶表示ユニットの製造方法では、前記量子ドット層は前記偏光膜層と第２基材層との間に設置される。
【００２３】
本発明が提供する液晶表示ユニットの製造方法では、前記液晶表示ユニットはさらにほかの偏光片を含んでもよく、前記ほかの偏光片は前記アレイ基板の外側に設置される。
【発明の効果】
【００２４】
本発明が提供する液晶表示ユニットは、前記液晶層と第１シーラントが前記アレイ基板とカラーフィルム基板との間に設置され、前記第１シーラントが液晶層を取り囲み、前記偏光片が前記カラーフィルム基板上に設置され、第２シーラントが偏光片を取り囲み、それにより水蒸気、埃塵等が液晶表示ユニットに入ることを減少させ、それにより液晶表示ユニットを汚染や腐食から保護する。
【図面の簡単な説明】
【００２５】
本発明の実施例における技術案をより明確に説明するために、以下、実施例の説明に使用される必要がある図面を簡単に説明し、明らかなように、以下説明における図面は単に本発明のいくつかの実施例に過ぎず、当業者は創造的な努力をせずにこれらの図面に基づきほかの図面を取得し得る。
【００２６】
【図１】図１は本発明の実施例が提供する液晶表示ユニットの断面図である。
【図２】図２は本発明の実施例が提供する液晶表示ユニットのアレイ基板の平面図である。
【図３】図３は本発明の実施例が提供する液晶表示ユニットのアレイ基板の断面図である。
【図４】図４は本発明の実施例が提供する液晶表示ユニットの偏光片の断面図である。
【図５】図５は本発明の実施例が提供する別の液晶表示ユニットの断面図である。
【発明を実施するための形態】
【００２７】
本発明の実施例は液晶表示ユニット１０を提供する。
【００２８】
図１〜３を参照すると、上記液晶表示ユニット１０は、１つのアレイ基板２０、１つのカラーフィルム基板３０、１つの第１シーラント４０、１つの液晶層５０、１つの偏光片６０及び１つの第２シーラント７０を含む。
【００２９】
上記アレイ基板２０の上面２１上に表示領域２１１及び非表示領域２１２が設置される。上記非表示領域２１２は上記表示領域２１１を取り囲む。
【００３０】
上記カラーフィルム基板３０は第１頂面３１、第１底面３２及び第１側面３３を有する。上記第１頂面３１と第１底面３２は対向して設置される。上記第１底面３２は上記アレイ基板２０の上面２１の方を向いている。上記第１側面３３は上記第１頂面３１と第１底面３２との間に接続される。
【００３１】
上記液晶層５０は上記アレイ基板２０とカラーフィルム基板３０との間に設置される。上記第１シーラント４０は上記液晶層５０を取り囲む。上記第１シーラント４０は上記アレイ基板２０とカラーフィルム基板３０との間に設置される。上記第１シーラント４０は上記非表示領域２１２に設置され、上記第１シーラント４０は上記表示領域２１１を取り囲んで１つの液晶収容部４１を形成する。上記第１シーラント４０は第１内壁４０ａ及び第１外壁４０ｂを有する。上記第１内壁４０ａは上記液晶収容部４１の方を向いている。上記第１外壁４０ｂは上記液晶収容部４１から離れている。上記液晶層５０は上記液晶収容部４１を満たす。
【００３２】
いくつかの実施例では、上記第１シーラント４０は透明材質を採用してもよい。いくつかの実施例では、上記第１シーラント４０は熱硬化性材料を採用してもよい。いくつかの実施例では、上記第１シーラント４０は光硬化性材料を採用してもよい。
【００３３】
上記偏光片６０は上記カラーフィルム基板３０の第１頂面３１に設置される。上記偏光片６０は第２頂面６１、第２底面６２及び第２側面６３を有する。上記第２頂面６１と上記第２底面６２は対向して設置される。上記第２側面６３は上記第２頂面６１と第２底面６２との間に接続される。上記第２底面６２は上記カラーフィルム基板３０の第１頂面３１に密着する。
【００３４】
図４を参照すると、いくつかの実施例では、上記偏光片６０は積層構造６００を含んでもよい。上記積層構造６００は順に積層して設置された第１基材層６０１、偏光膜層６０２、第２基材層６０３及び保護層６０４を含む。いくつかの実施例では、上記第１基材層６０１は上記カラーフィルム基板３０に近接し、上記保護層６０４は上記カラーフィルム基板３０から離れている。
【００３５】
いくつかの実施例では、上記第１基材層６０１及び第２基材層６０３はトリアセチルセルロース（ｔｒｉａｃｅｔｙｌｃｅｌｌｕｌｏｓｅ、ＴＡＣ）を採用してもよい。いくつかの実施例では、上記偏光膜層６０２はポリビニルアルコール（ｐｏｌｙｖｉｎｙｌ  ａｌｃｏｈｏｌ、ＰＶＡ）を採用してもよい。いくつかの実施例では、上記保護層６０４はポリエチレンテレフタレート（ｐｏｌｙｅｔｈｙｌｅｎｅｔｅｒｅｐｈｔｈａｌａｔｅ、ＰＥＴ）を採用してもよい。
【００３６】
いくつかの実施例では、上記偏光片６０はさらに量子ドット層６０５を含んでもよい。上記量子ドット層６０５は複数の量子ドット６０５ａを含む。上記量子ドット層６０５は上記偏光膜層６０２と第２基材層６０３との間に設置されてもよい。上記量子ドット６０５ａは赤色量子ドット、緑色量子ドット又は青色量子ドットのうちのいずれか１つ又は少なくとも２種の組み合わせを含む。
【００３７】
上記第２シーラント７０は上記偏光片６０を取り囲む。上記第２シーラント７０は上記アレイ基板２０の非表示領域２１２に設置される。上記第２シーラント７０は上記第１シーラント４０、カラーフィルム基板３０及び偏光片６０を取り囲む。上記第２シーラント７０は第２内壁７０ａ及び第２外壁７０ｂを有する。上記第２内壁７０ａは上記第１シーラント４０、カラーフィルム基板３０及び偏光片６０の方を向いている。上記第２内壁７０ａは上記第１シーラント４０の第１外壁４０ｂ、カラーフィルム基板３０の第１側面３３及び上記偏光片６０の第２側面６３に密着して設けられる。
【００３８】
いくつかの実施例では、上記第２シーラント７０は上記第１シーラント４０、カラーフィルム基板３０及び偏光片６０を取り囲んでもよい。上記第２シーラント７０の高さＨは上記第１シーラント４０の厚さＤ１、カラーフィルム基板３０の厚さＤ２及び偏光片６０の厚さＤ３の和に等しい。
【００３９】
いくつかの実施例では、上記第２シーラント７０は透明材質を採用してもよい。いくつかの実施例では、上記第２シーラント７０は熱硬化性材料を採用してもよい。いくつかの実施例では、上記第２シーラント７０は光硬化性材料を採用してもよい。
【００４０】
図５を参照すると、いくつかの実施例では、上記液晶表示ユニット１０はさらに別の偏光片６０ａを含んでよく、上記別の偏光片６０ａは上記アレイ基板２０の外側に設置される。
【００４１】
本発明はさらに上記液晶表示ユニット１０の製造方法を提供し、
１つのアレイ基板を提供するステップと、
上記アレイ基板上に１つの液晶層を設置するステップと、
上記液晶層の周囲に第１シーラントを設置するステップと、
上記液晶層及び第１シーラントを覆う１つのカラーフィルム基板を提供するステップと、
上記カラーフィルム上に設置される１つの偏光片を提供するステップと、
上記偏光片の周囲に第２シーラントを設置するステップと、を含む。
【００４２】
いくつかの実施例では、上記第１シーラント４０は透明材質を採用してもよい。いくつかの実施例では、上記第１シーラント４０は熱硬化性材料を採用してもよい。いくつかの実施例では、上記第１シーラント４０は光硬化性材料を採用してもよい。
【００４３】
いくつかの実施例では、上記第２シーラント７０は透明材質を採用してもよい。いくつかの実施例では、上記第２シーラント７０は熱硬化性材料を採用してもよい。いくつかの実施例では、上記第２シーラント７０は光硬化性材料を採用してもよい。
【００４４】
いくつかの実施例では、上記第２シーラント７０は上記第１シーラント４０、カラーフィルム基板３０及び偏光片６０を取り囲むことができる。上記第２シーラント７０の高さＨは上記第１シーラント４０の厚さＤ１、カラーフィルム基板３０の厚さＤ２及び偏光片６０の厚さＤ３の和に等しい。
【００４５】
いくつかの実施例では、上記液晶表示ユニット１０はさらに別の偏光片６０ａを含んでもよく、上記別の偏光片６０ａは上記アレイ基板２０の外側に設置される。
【００４６】
本発明が提供する上記液晶表示ユニット１０は、第２シーラント７０が設置され、上記第２シーラント７０が第１シーラント４０、カラーフィルム基板３０及び偏光片６０を取り囲み、上記第２シーラント７０の第２内壁７０ａが上記第１シーラント４０の第１外壁４０ｂ、カラーフィルム基板３０の第１側面３３及び上記偏光片６０の第２側面６３に密着して設けられ、上記第１シーラント４０の第１外壁４０ｂ、カラーフィルム基板３０の第１側面３３及び上記偏光片６０の第２側面６３が外部から隔離され、それにより水蒸気、埃塵等が液晶表示ユニット１０に入ることを減少させ、それにより液晶表示ユニット１０を汚染や腐食から保護する。
【００４７】
以上、本発明の実施例が提供する液晶表示ユニットを詳細に説明し、本明細書では具体例を用いて本発明の原理及び実施形態を説明したが、以上の実施例についての説明は単に本発明を理解することを助けるためのものである。また、当業者は、本発明の思想に基づき、発明の実施形態及び適用範囲を変更することができ、以上のように、本明細書の内容は、本発明を限定するものとして理解すべきではない。
【符号の説明】
【００４８】
１０  液晶表示ユニット
２０  アレイ基板
２１  上面
２１１  表示領域
２１２  非表示領域
３０  カラーフィルム基板
３１  頂面
３２  底面
３３  第１側面
４０  第１シーラント
４０ａ  第１内壁
４０ｂ  第１外壁
４１  収容部
５０  液晶層
６０  偏光片
６１  第２頂面
６２  第２底面
６３  第２側面
６００  積層構造
６０１  第１基材層
６０２  偏光膜層
６０３  第２基材層
６０４  保護層
６０５  量子ドット層
６０５ａ  量子ドット
７０  第２シーラント
７０ａ  第２内壁
７０ｂ  第２外壁
Ｈ  高さ      
Ｄ１  厚さ
Ｄ２  厚さ
Ｄ３  厚さ
【図１】
2020532764.tif 000003
【図２】
2020532764.tif 000004
【図３】
2020532764.tif 000005
【図４】
2020532764.tif 000006
【図５】
2020532764.tif 000007
【国際調査報告】
2020532764.tif 000008
2020532764.tif 000009
2020532764.tif 000010
2020532764.tif 000011
2020532764.tif 000012
2020532764.tif 000013